(57)【要約】【課題】特定機能に対応する画像処理の実行を指示する際の操作性に優れた、画像処理装置を提供する。【解決手段】ＩＤカードコピー機能の使用を設定する操作が操作部に受け付けられると、ＩＤカードコピー機能を使用するコピージョブであるＩＤコピーが実行される。また、画像読取装置のコンタクトガラスの上面に載置された原稿のサイズがカードサイズであれば（Ｓ１９：ＹＥＳ）、表示部にＩＤコピー切替問合せ画面が表示される。そして、ＩＤコピー切替問合せ画面の表示中にＩＤカードコピー機能の使用を選択する操作が操作部に受け付けられると（Ｓ２４：ＹＥＳ）、ＩＤコピーが実行される（Ｓ２５）。【選択図】図５Ｂ
2019102898.tif 000002
【特許請求の範囲】
【請求項１】
読取位置で画像を読み取る読取部と、
原稿を搬送して前記読取位置を通過させる搬送機構と、
原稿が支持される支持面に沿って前記読取位置を移動させる移動機構と、
操作部と、
表示部と、
制御部と、を備え、
前記制御部は、
前記表示部に第１操作画面を表示させ、前記第１操作画面の表示中に前記操作部に受け付けた操作に応じて、前記表示部の表示を前記第１操作画面から第２操作画面に遷移させ、
前記第１操作画面は、前記読取部に原稿を読み取らせるスキャン機能を含む複数の機能の中から１の機能を選択する操作を前記操作部に受け付けるための画面であり、
前記第２操作画面は、所定のパラメータを設定する操作を前記操作部に受け付ける画面であり、前記所定のパラメータには、読み取られた画像に対し予め定められた設定により画像処理を行う機能である特定機能の実行を選択するための設定項目を含み、
前記制御部は、
前記第２操作画面の表示中に機能実行指示のための操作を前記操作部に受け付けた場合に、前記読取部と、前記搬送機構または前記移動機構を制御して、前記読取部に原稿を読み取らせ、前記読取部に読み取られた画像に対して、前記第２操作画面により設定されたパラメータにしたがい前記第１操作画面により選択された機能を実行し、
前記第２操作画面の表示中に前記特定機能を選択する操作を前記操作部に受け付けなくても、前記読取部および前記移動機構を制御して前記読取部に原稿を読み取らせ、かつ、前記読取部に読み取られる原稿が予め定められたサイズである場合、前記特定機能に対応する画像処理の実行に関する確認画面を前記表示部に表示させ、
前記確認画面の表示中に前記特定機能に対応する画像処理の実行を選択する操作を前記操作部に受け付けた場合、前記読取部および前記移動機構を制御して、前記読取部に原稿を読み取らせ、前記読取部に読み取られた画像に対して前記特定機能に対応する画像処理を実行する、
画像処理装置。
【請求項２】
請求項１に記載の画像処理装置であって、
前記制御部は、前記第２操作画面の表示中に前記特定機能を選択する操作を前記操作部に受け付けない場合であって、前記搬送機構に異常が検出される場合、前記確認画面を表示することなく、前記読取部および前記移動機構を制御して、前記読取部に原稿を読み取らせ、前記読取部に読み取られた画像に対して、前記第１操作画面により選択された機能に対応する画像処理を前記第２操作画面により設定されたパラメータにしたがい実行する、
画像処理装置。
【請求項３】
請求項１または２に記載の画像処理装置であって、
記憶部を備え、
前記制御部は、
前記第２操作画面の表示中に前記特定機能を選択する操作を前記操作部に受け付けない場合に、前記読取部および前記移動機構を制御して、前記支持面に支持された原稿を前記読取部に読み取らせ、
前記読取部に読み取らせた原稿の画像を前記記憶部に記憶し、
前記読取部に読み取らせた原稿のサイズを特定し、
前記特定された原稿のサイズが前記予め定められたサイズであって、前記読取部による次の読取対象の原稿があることを選択する操作を前記操作部に受け付けた場合に、前記確認画面を前記表示部に表示させ、
前記記憶部に記憶された画像と、前記確認画面を前記表示部に表示させた後に読み取られた原稿の画像とを用いて前記特定機能に対応する画像処理を実行する
画像処理装置。
【請求項４】
請求項３に記載の画像処理装置であって、
前記制御部は、
前記読取部および前記移動機構を制御して、前記支持面に支持された原稿を前記読取部に読み取らせ、当該原稿が前記予め定められたサイズであった場合、前記読取部による次の読取対象の原稿があることを選択する操作を受け付けるための受付画面を前記表示部に表示させ、当該原稿が前記予め定められたサイズでない場合、前記受付画面を前記表示部に表示させず、
前記受付画面の表示中に次の読取対象の原稿があることを選択する操作を前記操作部に受け付けた場合に、前記確認画面を前記表示部に表示させる、
画像処理装置。
【請求項５】
請求項１から４のいずれか一項に記載の画像処理装置であって、
前記制御部は、
前記第２操作画面の表示中に前記特定機能の実行を選択する操作を前記操作部に受け付けた場合、前記パラメータの設定内容および前記特定機能が選択されている状態を表す第３操作画面を、前記特定機能に対応する画像処理の実行後に前記表示部に表示させ、
前記第２操作画面の表示中に前記特定機能の実行を選択する操作を前記操作部に受け付けず前記確認画面の表示中に前記特定機能に対応する画像処理の実行を選択する操作を前記操作部に受け付けた場合、前記パラメータの設定内容および前記特定機能が選択されていない状態を表す第４操作画面を、前記特定機能に対応する画像処理の実行後に前記表示部に表示させる、
画像処理装置。
【請求項６】
請求項１から５のいずれか一項に記載の画像処理装置であって、
シートに画像を形成する画像形成部をさらに備え、
前記特定機能は、原稿の表面および裏面を前記読取部により読み取り、その読み取った表面および裏面の画像を前記画像形成部により１枚のシートに並べて形成する機能である、
画像処理装置。
【請求項７】
請求項１から６のいずれか一項に記載の画像処理装置であって、
前記第１操作画面には、前記特定機能に対応する画像処理の実行を選択する操作ボタンが含まれており、
前記制御部は、
前記操作ボタンの操作を前記操作部に受け付けた場合、前記第２操作画面を前記表示部に表示させずに、前記読取部および前記搬送機構または前記移動機構を制御して、前記読取部に原稿を読み取らせ、前記読取部に読み取られた画像に対して前記特定機能に対応する画像処理を実行し、
前記第２操作画面の表示後に、前記確認画面を表示することなく、前記読取部および前記移動機構を制御して、前記読取部に原稿を読み取らせ、前記読取部に読み取られた画像に対して、前記第１操作画面により選択された機能に対応する画像処理を前記第２操作画面により設定されたパラメータにしたがい実行する、
画像処理装置。
【発明の詳細な説明】
【技術分野】
【０００１】
本発明は、画像処理装置に関する。
【背景技術】
【０００２】
従来、プリント機能およびスキャン機能を有するＭＦＰ（Multi-Function Peripheral）が知られている。プリント機能は、画像を印刷、つまりプリント用紙などのシートに画像を形成する機能である。スキャン機能は、原稿などの画像を読み取る機能である。また、ＭＦＰでは、スキャン機能とプリント機能との組合せにより、画像を読み取って、その画像をシートに印刷するコピー機能が実現される。
【０００３】
また、ＭＦＰが有する機能の１つに、ＩＤカードコピー機能がある。ＩＤカードコピー機能は、ＩＤカード（たとえば、運転免許証や健康保険被保険者証）などのカード状の原稿の表面および裏面をそれぞれ読み取って、その表面および裏面の各画像を１枚のシートに印刷する機能である。
【先行技術文献】
【特許文献】
【０００４】
【特許文献１】特開２０１１−１６６５９１号公報
【発明の概要】
【発明が解決しようとする課題】
【０００５】
ところが、従来のＭＦＰでは、ＩＤカードコピー機能などの特定機能を選択して、その特定機能による画像処理の実行を指示する操作が煩雑である。
【０００６】
本発明の目的は、特定機能に対応する画像処理の実行を指示する際の操作性に優れた、画像処理装置を提供することである。
【課題を解決するための手段】
【０００７】
前記の目的を達成するため、本発明に係る画像処理装置は、読取位置で画像を読み取る読取部と、原稿を搬送して読取位置を通過させる搬送機構と、原稿が支持される支持面に沿って前記読取部を移動させる移動機構と、操作部と、表示部と、制御部と、を備え、制御部は、表示部に第１操作画面を表示させ、第１操作画面の表示中に操作部に受け付けた操作に応じて、表示部の表示を第１操作画面から第２操作画面に遷移させ、第１操作画面は、読取部に原稿を読み取らせるスキャン機能を含む複数の機能の中から１の機能を選択する操作を操作部に受け付けるための画面であり、第２操作画面は、所定のパラメータを設定する操作を操作部に受け付ける画面であり、所定のパラメータには、読み取られた画像に対し予め定められた設定により画像処理を行う機能である特定機能の実行を選択するための設定項目を含み、制御部は、第２操作画面の表示中に機能実行指示のための操作を操作部に受け付けた場合に、読取部および搬送機構または移動機構を制御して、読取部に原稿を読み取らせ、読取部に読み取られた画像に対して、第２操作画面により設定されたパラメータにしたがい第１操作画面により選択された機能を実行し、第２操作画面の表示中に特定機能を選択する操作を操作部に受け付けなくても、読取部および移動機構を制御して読取部に原稿を読み取らせ、かつ、読取部に読み取られる原稿が予め定められたサイズである場合、特定機能に対応する画像処理の実行に関する確認画面を表示部に表示させ、確認画面の表示中に特定機能に対応する画像処理の実行を選択する操作を操作部に受け付けた場合、読取部および移動機構を制御して、読取部に原稿を読み取らせ、読取部に読み取られた画像に対して特定機能に対応する画像処理を実行する。
【０００８】
この構成によれば、操作部に受け付けられる操作に応じて、表示部の表示が第１操作画面から第２操作画面に切り替えられる。その第２操作画面の表示中に特定機能を選択する操作が操作部に受け付けられると、読取部により原稿が読み取られて、その読み取られた画像に対して特定機能に対応する画像処理が実行される。
【０００９】
したがって、ユーザは、表示部の表示を第１操作画面から第２操作画面に切り替える操作を行い、第２操作画面の表示中に特定機能を選択する操作を行うことにより、特定機能に対応する画像処理の実行を指示することができる。
【００１０】
また、支持面に支持された原稿のサイズが予め定められたサイズであれば、表示部に確認画面が表示される。そして、確認画面の表示中に特定機能に対応する画像処理の実行を選択する操作が操作部に受け付けられると、読取部により原稿が読み取られて、その読み取られた画像に対して特定機能に対応する画像処理が実行される。
【００１１】
これにより、ユーザが予め定められたサイズの原稿を支持面に支持した場合、第２操作画面の表示中に特定機能を選択する操作を行わなくても、確認画面が表示部に表示されるので、ユーザは、確認画面の表示中に特定機能に対応する画像処理の実行を選択する操作を行うことにより、特定機能に対応する画像処理の実行を指示することができる。よって、特定機能に対応する画像処理の実行を指示する際の操作性に優れている。
【発明の効果】
【００１２】
本発明によれば、画像処理装置において、特定機能に対応する画像処理の実行を指示する際の操作性の向上を図ることができる。
【図面の簡単な説明】
【００１３】
【図１】本発明の一実施形態に係る複合機の斜視図であり、ＡＤＦが開かれた状態を示す。
【図２】複合機の電気的構成を示すブロック図である。
【図３】待機画面の一例を示す図である。
【図４】ジョブ開始画面の一例を示す図である。
【図５Ａ】コピージョブ処理の流れを示すフローチャート（その１）である。
【図５Ｂ】コピージョブ処理の流れを示すフローチャート（その２）である。
【図６】コピー中画面の一例を示す図である。
【図７】次原稿問合せ画面の一例を示す図である。
【図８】ＩＤコピー切替問合せ画面の一例を示す図である。
【図９】ＩＤコピー継続問合せ画面の一例を示す図である。
【図１０】ＩＤコピー処理の流れを示すフローチャートである。
【図１１】原稿セット案内画面の一例を示す図である。
【図１２】変形例において図５Ｂに示される処理（コピージョブ処理の一部）に代えて実行される処理の流れを示すフローチャートである。
【発明を実施するための形態】
【００１４】
以下では、本発明の実施の形態について、添付図面を参照しつつ詳細に説明する。
【００１５】
＜複合機＞
図１には、複合機（ＭＦＰ：Multi-Function Peripheral）１が示されている。複合機１は、プリント機能、スキャン機能およびコピー機能など、複数の機能を有する電子機器である。プリント機能（画像形成機能）は、画像データに係る画像をプリント用紙などのシートに印刷（プリント）する機能である。スキャン機能（画像読取機能）は、原稿の画像を読み取って画像データを生成する機能である。コピー機能は、スキャナ機能により原稿を読み取って、その読み取った原稿（画像）を画像形成機能によりシートに印刷する機能である。複合機１は、プリント機能のための画像形成装置２およびスキャナ機能のための画像読取装置３を備えている。
【００１６】
画像形成装置２は、略直方体形状のプリンタ筐体４を備えている。プリンタ筐体４の底部には、給紙トレイ５がプリンタ筐体４の一方側から抜き差し可能に設けられている。給紙トレイ５は、複数枚のプリント用紙などのシートを積み重なった状態で支持可能に構成されている。
【００１７】
なお、以下の説明で使用するため、給紙トレイ５を抜き差し可能な一方側を複合機１の前側と規定し、その反対側を後側と規定する。そして、水平面上に設置された複合機１を前側から見た状態を基準に、複合機１の上側、下側、左側および右側を規定する。
【００１８】
シートに画像が形成されるときには、給紙トレイ５からプリンタ筐体４内にシートが１枚ずつ送り出され、プリンタ筐体４内をそのシートが搬送される。シートがプリンタ筐体４内を搬送される間に、プリンタ筐体４内に収容されている画像形成部５１（図２参照）により、シートに画像（カラー画像またはモノクロ画像）が形成される。画像形成部５１による画像形成の方式は、電子写真方式であってもよいし、インクジェット方式であってもよい。画像が形成されたシート（印刷物）は、プリンタ筐体４の上面に形成された排紙トレイ６に排出される。
【００１９】
画像読取装置３は、画像形成装置２の上側に配置されている。画像読取装置３は、スキャナ筐体７と、ＡＤＦ（Auto Document Feeder：自動原稿搬送装置）８とを備えている。スキャナ筐体７の上面には、コンタクトガラス９が設けられている。ＡＤＦ８は、開位置と閉位置とに開閉可能に設けられている。ＡＤＦ８が閉位置に位置する状態では、コンタクトガラス９がＡＤＦ８によって被覆される。ＡＤＦ８が開位置に位置する状態では、図１に示されるように、コンタクトガラス９が露出する。すなわち、ＡＤＦ８は、コンタクトガラス９を開閉可能なカバーとして機能する。
【００２０】
＜複合機の電気的構成＞
複合機１は、図２に示されるように、ＡＳＩＣ（Application Specific Integrated Circuit）４１、ＲＯＭ（Read Only Memory）４２およびＲＡＭ（Random Access Memory）４３を備えている。
【００２１】
ＡＳＩＣ４１は、ＣＰＵ４４（制御部の一例）を内蔵している。ＣＰＵ４４は、ＡＳＩＣ４１に入力される情報に基づいて、各種の処理のためのプログラムを実行することにより、読取デバイス１２（読取部の一例）、移動機構１３、ＡＤＦ搬送部４５（搬送機構の一例）および操作パネル４６を含む画像読取装置３の各部を制御する。画像読取装置３では、ＦＢ（フラットベッド）方式およびＡＤＦ方式の両方式による原稿の読み取りが可能である。
【００２２】
ＦＢ方式による原稿の読み取りの際には、ＡＤＦ８が開位置に開かれて、原稿がコンタクトガラス９の上面（ＦＢ面）に支持される。そして、スキャンの実行の指令に応じて、移動機構１３による読取デバイス１２の副走査方向への移動が開始され、読取デバイス１２が副走査方向に移動されつつ、読取デバイス１２により原稿のコンタクトガラス９と接触する側の面が読み取られる。
【００２３】
一方、ＡＤＦ方式による原稿の読み取りの際には、ＡＤＦ８の原稿セット部に原稿が支持される。その後、スキャンの実行の指令に応じて、ＡＤＦ８に備えられているＡＤＦ搬送部４５により、原稿セット部から原稿が１枚ずつ送り出され、その１枚の原稿がコンタクトガラス９の上面を通過してＡＤＦ８の原稿排出部に排出される。原稿がコンタクトガラス９上を通過する際、原稿のコンタクトガラス９と接触する側の面が読み取られる。
【００２４】
操作パネル４６は、図１に示されるように、スキャナ筐体７の前面に配置されている。操作パネル４６は、タッチパネルからなり、液晶ディスプレイなどの表示部４７上に感圧式または静電容量式の透明フィルムスイッチなどの操作部４８を重ねて構成されている。表示部４７には、各種の情報や操作キーなどの画像が表示される。ユーザが表示部４７に表示される操作キーをタッチ操作することにより、そのタッチ操作された操作キーの種類に応じた指示が操作部４８に受け付けられる。操作部４８に指示が受け付けられると、その指示の内容に応じた信号（データ）が操作部４８からＡＳＩＣ４１に向けて送信される。
【００２５】
なお、表示部４７と操作部４８とは、タッチパネルを構成せずに、別々に独立して設けられていてもよい。
【００２６】
ＲＯＭ４２は、フラッシュメモリなどの書き換え可能な不揮発性メモリからなる。ＲＯＭ４２には、ＣＰＵ４４によって実行されるプログラムおよび各種のデータなどが記憶されている。また、ＲＯＭ４２には、制御のためのプログラムのほか、定型原稿サイズごとに、シート短辺およびシート長辺の寸法を示すデータを定型原稿サイズのテーブルとして記憶されている。たとえば、カードサイズ（小サイズ）の場合、シート短辺の寸法は５０〜６０ｍｍ、シート長辺の寸法は８０〜１００ｍｍである。
【００２７】
ＲＡＭ４３は、ＤＲＡＭ（Dynamic Random Access Memory）などの揮発性メモリであり、ＣＰＵ４４がプログラムを実行する際のワークエリアとして使用される。
【００２８】
ＡＳＩＣ４１には、画像読取装置３の各部の制御に必要となる信号が入力される。たとえば、画像読取装置３には、ＡＤＦ８の原稿セット部における原稿の有無に応じて異なるレベルの検出信号を出力する原稿センサ４９が設けられており、その原稿センサ４９の検出信号がＡＳＩＣ４１に入力される。
【００２９】
また、ＣＰＵ４４は、ＡＳＩＣ４１に入力される情報に基づいて、各種の処理のためのプログラムを実行することにより、画像形成装置２の画像形成部５１を制御する。
【００３０】
＜コピージョブ処理＞
複合機１が待機状態であるときの操作パネル４６（表示部４７）には、待機画面（第１操作画面の一例）が表示されている。
【００３１】
待機画面の一例は、図３に示されている。この待機画面の一例では、スキャンキー１０１およびコピーキー１０２が横並びでそれぞれアイコン画像の形態で表示される。スキャンキー１０１は、スキャン機能によるジョブであるスキャンジョブを選択するキーである。コピーキー１０２は、コピー機能によるジョブであるコピージョブを選択するキーである。スキャンキー１０１が押されると、スキャンジョブの選択がＡＳＩＣ４１に入力される。コピーキー１０２が押されると、コピージョブの選択がＡＳＩＣ４１に入力される。
【００３２】
また、待機画面の一例では、待機画面の右上部に、ＩＤカードコピー機能によるコピージョブ（以下、「ＩＤコピー」という。）の実行を指示するＩＤコピーショートカットキー１０３（操作ボタンの一例）が表示されている。ＩＤカードコピー機能は、ＩＤカード（たとえば、運転免許証や健康保険被保険者証）などのカード状の原稿の表面および裏面をそれぞれ読み取って、その表面および裏面の各画像を１枚のシートに印刷する機能である。ＩＤコピーショートカットキー１０３が押されると、ＩＤコピー処理が実行される。ＩＤコピー処理については、後述する。
【００３３】
コピーキー１０２が押されて、コピージョブの選択がＡＳＩＣ４１に入力されると、ＣＰＵ４４は、操作パネル４６の表示を待機画面からジョブ開始画面（第２操作画面の一例）に切り替える。
【００３４】
ジョブ開始画面の一例は、図４に示されている。このジョブ開始画面の一例では、コピージョブに関する各種の設定情報が上下に並べて表示される。具体的には、コピー倍率を表示する倍率表示欄１２１、コピージョブに使用される特殊機能を表示する特殊機能表示欄１２２、コピージョブに使用されるシートの供給元のトレイおよびシートのサイズを表示するシート情報表示欄１２３およびコピー画質を表示する画質表示欄１２４が上からこの順に並べて表示される。また、ジョブ開始画面の下端部には、設定変更キー１２５、モノクロスタートキー１２６およびカラースタートキー１２７が表示される。設定変更キー１２５が押されると、操作パネル４６の表示がジョブ開始画面から設定画面（図示せず）に切り替わる。設定画面では、倍率表示欄１２１、特殊機能表示欄１２２、シート情報表示欄１２３および画質表示欄１２４に対応する各設定項目をまとめて設定することができる。また、ユーザは、倍率表示欄１２１、特殊機能表示欄１２２、シート情報表示欄１２３および画質表示欄１２４を個別に押すことにより、各設定項目を個別に設定することができる。
【００３５】
ＩＤカードコピー機能を使用するか否かの設定は、特殊機能表示欄１２２に対応する設定項目に含まれる。その他、特殊機能表示欄１２２に対応する設定項目には、原稿の表面および裏面の両面の画像をシートの両面に印刷する両面コピー機能を使用するか否かの設定などが含まれる。
【００３６】
また、ジョブ開始画面の左上部には、コピー枚数を設定する枚数設定キー１２８が表示される。
【００３７】
さらに、ジョブ開始画面の右上部には、ショートカット登録キー１２９が表示される。ショートカット登録キー１２９が押されると、その時点での設定内容が書き換え可能なＲＯＭ４２に登録される。そして、その登録された設定内容は、待機画面に表示されるショートカットキーに対応づけられる。図３に示されるＩＤコピーショートカットキー１０３は、ジョブ開始画面でＩＤカードコピー機能の使用が設定された状態でショートカット登録キー１２９が押された場合に作成されるショートカットキーである。
【００３８】
各種設定の終了後、モノクロスタートキー１２６が押されると、モノクロの画像をシートに印刷するコピージョブが開始される。また、カラースタートキー１２７が押された場合には、カラーの画像をシートに印刷するコピージョブが開始される。
【００３９】
そして、コピージョブの開始に伴い、ＡＳＩＣ４１のＣＰＵ４４により、図５７Ａおよび図５Ｂに示されるコピージョブ処理が開始される。
【００４０】
コピージョブ処理では、ＣＰＵ４４は、原稿センサ４９の検出信号からＡＤＦ８の原稿セット部に原稿がセットされているか否かを判別する（Ｓ１１）。
【００４１】
ＡＤＦ８の原稿セット部に原稿がセットされている場合（Ｓ１１：ＹＥＳ）、ＣＰＵ４４は、ＡＤＦコピージョブを実行した後（Ｓ１２）、コピージョブ処理を終了する。ＡＤＦコピージョブでは、ＡＤＦ方式による原稿の読み取りが行われた後、コピージョブの実行により、その読み取りによって生成された画像データがシートに印刷される。
【００４２】
ＡＤＦ８の原稿セット部に原稿がセットされていない場合（Ｓ１１：ＮＯ）、ＣＰＵ４４は、ＩＤカードコピー機能の使用が設定されているか否かを判別する（Ｓ１３）。ユーザにより、図４の設定変更キー１２５が操作され、特殊機能としてＩＤカードコピー機能が選択された場合に、ＩＤカード機能の使用が設定されていると判断する。
【００４３】
ジョブ開始画面でＩＤカードコピー機能の使用が設定された場合には（Ｓ１３：ＹＥＳ）、ＣＰＵ４４は、ＩＤコピー処理を実行して（Ｓ１４）、コピージョブ処理を終了する。図５ＡのステップＳ１４で実行されるＩＤコピー処理の流れは、図１０に示されている。
【００４４】
ＩＤコピー処理では、ＣＰＵ４４は、読取デバイス１２および移動機構１３を制御して、ＦＢ方式による原稿の読み取りを開始する（Ｓ１４１）。この読み取りにより、カードサイズの原稿の一方面（表面）が読み取られる。
【００４５】
原稿の読み取りの開始に伴い、ＣＰＵ４４は、操作パネル４６の表示をジョブ開始画面からコピー中画面に切り替える。そして、原稿の読み取りが終了すると、ＣＰＵ４４は、操作パネル４６の表示をコピー中画面から原稿セット案内画面に切り替える（Ｓ１４２）。
【００４６】
原稿セット案内画面の一例は、図１１に示されている。原稿セット案内画面では、カードサイズの原稿を裏返してコンタクトガラス９上の同じ位置（原稿が置かれていた位置）に置くという操作を案内し、その操作後に原稿の読み取りの開始を指示するための操作を案内するメッセージが表示される。そのメッセージの下側には、「ＯＫ」キー１６１が表示される。「ＯＫ」キー１６１が押されると、原稿の読み取りの開始の指示がＡＳＩＣ４１に入力される。
【００４７】
原稿セット案内画面で「ＯＫ」キー１６１が押されることにより、原稿の読み取りの開始の指示がＡＳＩＣ４１に入力されると、ＣＰＵ４４は、ＦＢ方式による原稿の読み取りを開始する（Ｓ１４３）。この読み取りにより、カードサイズの原稿の他方面（裏面）が読み取られる。
【００４８】
原稿の他方面の読み取りが終了すると、ＣＰＵ４４は、原稿の一方面および他方面の画像が１枚のシートに並べて印刷されるように、原稿の一方面の画像データと他方面の画像データとを結合させるレイアウト処理を実行する（Ｓ１４４）。
【００４９】
その後、ＣＰＵ４４は、画像形成部５１を制御して、レイアウト処理で作成した画像データの印刷を実行し（Ｓ１４５）、ＩＤコピー処理を終了する。
【００５０】
ＩＤカードコピー機能の使用が設定されずにコピージョブが開始された場合には（図５ＡのＳ１３：ＮＯ）、ＣＰＵ４４は、読取デバイス１２および移動機構１３を制御して、ＦＢ方式による原稿の読み取りを開始する（Ｓ１５）。
【００５１】
その後、ＣＰＵ４４は、原稿のサイズを検知する（Ｓ１６）。原稿のサイズは、たとえば、原稿の読み取りの結果から検知することができる。すなわち、ＣＰＵ４４は、公知のエッジ検知方法を用いて、原稿の読み取りにより得られる画像データから、原稿の副走査方向に平行な前エッジおよび後エッジを検知し、原稿の主走査方向の寸法を決定する。また、原稿の主走査方向に平行な左エッジおよび右エッジを検知し、原稿の副走査方向の寸法を決定する。
【００５２】
原稿の読み取りの開始に伴い、ＣＰＵ４４は、操作パネル４６の表示をジョブ開始画面からコピー中画面に切り替える。コピー中画面の一例は、図６に示されている。コピー中画面には、コピージョブの実行中であることを表す「コピー中」の文字とともに、コピージョブに関する各種の設定情報が表示される。
【００５３】
１枚目の原稿の読み取りが終了すると、ＣＰＵ４４は、操作パネル４６の表示をコピー中画面から次原稿問合せ画面に切り替える。
【００５４】
次原稿問合せ画面の一例は、図７に示されている。次原稿問合せ画面には、ユーザが読み取りを所望する次の原稿の有無に応じた操作を案内するメッセージが表示される。そのメッセージの下側には、読取開始キー１３１および読取完了キー１３２が横並びで表示される。読取開始キー１３１が押されることにより、ユーザが読み取りを所望する次の原稿がある旨の情報がＡＳＩＣ４１に入力される。読取完了キー１３２が押されることにより、ユーザが読み取りを所望する次の原稿がない旨の情報がＡＳＩＣ４１に入力される。
【００５５】
ユーザが読み取りを所望する次の原稿がなく、次原稿問合せ画面で読取完了キー１３２が押された場合（図５ＢのＳ１７：ＮＯ）、ＣＰＵ４４は、画像形成部５１を制御して、それまでに読み取られた原稿の画像データの印刷を実行し（Ｓ１８）、コピージョブ処理を終了する。
【００５６】
ユーザが読み取りを所望する次の原稿があり、次原稿問合せ画面で読取開始キー１３１が押された場合には（Ｓ１７：ＹＥＳ）、ＣＰＵ４４は、原稿のサイズの検知結果から、１枚目の原稿がカードサイズであるか否かを判別する（Ｓ１９）。
【００５７】
１枚目の原稿がカードサイズではない場合（Ｓ１９：ＮＯ）、ＣＰＵ４４は、読取デバイス１２および移動機構１３を制御して、ＦＢ方式による次の原稿の読み取りを開始する（Ｓ２０）。
【００５８】
また、原稿の読み取りの開始に伴い、ＣＰＵ４４は、操作パネル４６の表示を次原稿問合せ画面からコピー中画面に切り替える。その後、原稿の読み取りが終了すると、ＣＰＵ４４は、操作パネル４６の表示をコピー中画面から次原稿問合せ画面に切り替える。そして、ＣＰＵ４４は、ユーザが読み取りを所望する次の原稿の有無を判別する（Ｓ２１）。
【００５９】
ユーザが読み取りを所望する次の原稿があり（Ｓ２１：ＹＥＳ）、次原稿問合せ画面で読取開始キー１３１が押された場合には、ＣＰＵ４４は、ＦＢ方式による次の原稿の読み取りを開始する（Ｓ２０）。その後、ユーザが読み取りを所望する原稿がなくなるまで、すなわち、ユーザにより読取完了キー１３２が押されるまでＦＢ方式による原稿の読み取りが繰り返される。
【００６０】
ユーザが読み取りを所望する次の原稿がなくなり、読取完了キー１３２が押されると（Ｓ２１：ＮＯ）、ＣＰＵ４４は、画像形成部５１を制御して、それまでに読み取られた原稿の画像データの印刷を実行し（Ｓ１８）、コピージョブ処理を終了する。
【００６１】
１枚目の原稿がカードサイズである場合（Ｓ１９：ＹＥＳ）、ＣＰＵ４４は、ＩＤカードコピー機能の設定がＲＯＭ４２に登録（ＩＤコピー登録）され、ＩＤコピーショートカットキー１０３が待機画面に表示される設定になっているか否かを判別する（Ｓ２２）。
【００６２】
ＩＤカードコピー機能の設定がＲＯＭ４２に登録されている場合（Ｓ２２：ＹＥＳ）、ＣＰＵ４４は、ＦＢ方式による次の原稿の読み取りを開始する（Ｓ２０）。その後、ユーザが読み取りを所望する原稿がなくなり、読取完了キー１３２が押されるまで、ＦＢ方式による原稿の読み取りが繰り返される。ユーザが読み取りを所望する次の原稿がなくなり、読取完了キー１３２が押されると（Ｓ２１：ＮＯ）、ＣＰＵ４４は、画像形成部５１を制御して、それまでに読み取られた原稿の画像データの印刷を実行し（Ｓ１８）、コピージョブ処理を終了する。
【００６３】
ＩＤカードコピー機能の設定がＲＯＭ４２に登録されていない場合（Ｓ２２：ＮＯ）、ＣＰＵ４４は、ＡＤＦ８にエラーが発生していないか否かを確認する（Ｓ２３）。
【００６４】
ＡＤＦ８にエラーが発生している場合（Ｓ２３：ＹＥＳ）、ＣＰＵ４４は、ＦＢ方式による次の原稿の読み取りを開始する（Ｓ２０）。その後、ユーザが読み取りを所望する原稿がなくなり、読取完了キー１３２が押されるまで、ＦＢ方式による原稿の読み取りが繰り返される。ユーザが読み取りを所望する次の原稿がなくなり、読取完了キー１３２が押されると（Ｓ２１：ＮＯ）、ＣＰＵ４４は、画像形成部５１を制御して、それまでに読み取られた原稿の画像データの印刷を実行し（Ｓ１８）、コピージョブ処理を終了する。
【００６５】
ＡＤＦ８にエラーが発生していない場合（Ｓ２３：ＮＯ）、ＣＰＵ４４は、操作パネル４６の表示を次原稿問合せ画面からＩＤコピー切替問合せ画面（確認画面の一例）に切り替える。
【００６６】
ＩＤコピー切替問合せ画面の一例は、図８に示されている。ＩＤコピー切替問合せ画面には、カードサイズの原稿が検出された旨を報知するメッセージとともに、ＩＤカードコピー機能を使用しない設定から使用する設定（ＩＤコピー設定）に切り替えるかを問い合わせるメッセージが表示される。それらのメッセージの下側には、「はい」キー１４１および「いいえ」キー１４２が横並びで表示される。「はい」キー１４１が押されることにより、ＩＤカードコピー機能を使用しない設定から使用する設定に切り替える指示がＡＳＩＣ４１に入力される。「いいえ」キー１４２が押されることにより、ＩＤカードコピー機能を使用しない設定を維持する指示がＡＳＩＣ４１に入力される。
【００６７】
ＩＤコピー切替問合せ画面で「いいえ」キー１４２が押されることにより、ＩＤカードコピー機能を使用しない設定を維持する指示がＡＳＩＣ４１に入力された場合（Ｓ２４：ＮＯ）、ＣＰＵ４４は、ＦＢ方式による次の原稿の読み取りを開始する（Ｓ２０）。その後、ユーザが読み取りを所望する原稿がなくなり、読取完了キー１３２が押される読取完了キー１３２が押されるまで、ＦＢ方式による原稿の読み取りが繰り返される。ユーザが読み取りを所望する次の原稿がなくなり、読取完了キー１３２が押されると（Ｓ２１：ＮＯ）、ＣＰＵ４４は、画像形成部５１を制御して、それまでに読み取られた原稿の画像データの印刷を実行し（Ｓ１８）、コピージョブ処理を終了する。
【００６８】
ＩＤコピー切替問合せ画面で「はい」キー１４１が押されることにより、ＩＤカードコピー機能を使用しない設定から使用する設定に切り替える指示がＡＳＩＣ４１に入力された場合（Ｓ２４：ＹＥＳ）、ＣＰＵ２４は、ＩＤコピー処理を実行する（Ｓ２５）。なお、ここで実行するＩＤコピー処理は、Ｓ１４として図１０で説明したＩＤコピー処理とほぼ同じであるが、すでにＳ１５で表面が読み取られているため、図１０に破線で示されるように、Ｓ１４１を実行せず、Ｓ１４２〜Ｓ１４５の各処理を実行する。
【００６９】
ＩＤコピー処理の実行後、ＣＰＵ２４は、操作パネル４６にＩＤコピー継続問合せ画面を表示させる。
【００７０】
ＩＤコピー継続問合せ画面の一例は、図９に示されている。ＩＤコピー継続問合せ画面には、ユーザがＩＤコピーの継続を所望するか否かに応じた操作を案内するメッセージが表示される。そのメッセージの下側には、「次のページ開始」キー１５１および「全てのページ完了」キー１５２が横並びで表示される。「次のページ開始」キー１５１が押されることにより、ユーザがＩＤコピーの継続を所望している旨の情報がＡＳＩＣ４１に入力される。「全てのページ完了」キー１５２が押されることにより、ユーザがＩＤコピーの継続を所望していない旨の情報がＡＳＩＣ４１に入力される。
【００７１】
「次のページ開始」キー１５１が押されることにより、ユーザがＩＤコピーの継続を所望している旨の情報がＡＳＩＣ４１に入力された場合、ＩＤコピー対象の次の原稿が存在するから（Ｓ２６：ＹＥＳ）、ＣＰＵ４４は、ＩＤコピー処理を再び実行する（Ｓ２５）。ここでのＩＤコピー処理は、表面をまだ読取開始していないため、図１０のＳ１４１の処理を含む各処理を実行する。
【００７２】
「全てのページ完了」キー１５２が押されることにより、ユーザがＩＤコピーの継続を所望していない旨の情報がＡＳＩＣ４１に入力された場合、次の原稿が存在しないので、ＣＰＵ４４は、ＩＤカードコピー機能を使用する設定をリセット、つまりＩＤカードコピー機能を使用しない設定に切り替えて（Ｓ２７）、コピージョブ処理を終了する。コピージョブ処理を終了すると、図４に示すジョブ開始画面に戻る。ジョブ開始画面に戻ってから所定時間経過後、または待機画面に戻るためのホームキー（図示せず）を操作することで、コピージョブのための設定をすべて初期値に戻し待機画面に戻る。なお、Ｓ２７の後に表示されるジョブ開始画面が第３操作画面の一例であり、Ｓ１４の後に表示されるジョブ開始画面が第４操作画面の一例である。
【００７３】
＜作用効果＞
以上のように、操作部４８に受け付けられる操作に応じて、表示部４７の表示が待機画面からジョブ開始画面に切り替えられる。そのジョブ開始画面の表示中にＩＤカードコピー機能の使用を設定する操作が操作部４８に受け付けられると、ＩＤコピーが実行される。
【００７４】
したがって、ユーザは、表示部４７の表示を待機画面からジョブ開始画面に切り替える操作を行い、ジョブ開始画面の表示中にＩＤカードコピー機能を選択する操作を行うことにより、ＩＤコピーの実行を指示することができる。
【００７５】
また、コンタクトガラス９の上面に載置された原稿のサイズがカードサイズであれば、表示部４７にＩＤコピー切替問合せ画面が表示される。そして、ＩＤコピー切替問合せ画面の表示中にＩＤカードコピー機能の使用を選択する操作が操作部４８に受け付けられると、ＩＤコピーが実行される。
【００７６】
例えば、ＩＤカードコピー機能のような特殊機能については、設定を行うための画面の階層が深かったり、設定項目の下部に位置することでスクロール等の操作を必要とする可能性が高い。このような場合に、ユーザによっては、所望する特殊機能の設定画面を見つけられなかったり、操作を煩雑に感じることがある。本実施形態の構成により、ユーザがカードサイズの原稿をコンタクトガラス９の上面に載置した場合、ジョブ開始画面の表示中にＩＤカードコピー機能の使用を設定する操作を行わなくても、ＩＤコピー切替問合せ画面が表示部４７に表示されるので、ユーザは、ＩＤコピー切替問合せ画面の表示中にＩＤカードコピー機能の使用を選択する操作を行うことにより、ＩＤコピーの実行を指示することができる。よって、ＩＤコピーの実行を指示する際の操作性に優れている。
【００７７】
また、ＡＤＦ８にエラーが発生している場合には、ＩＤカードコピー機能を使用しない設定から使用する設定に切り替えるかがユーザに問われることなく、ＦＢ方式による原稿の読み取りが実行される。ＡＤＦ８にエラーが発生している場合、ユーザは、仕方なしにＦＢ方式による原稿の読み取りを指示するので、その場合にＩＤカードコピー機能を使用する設定に切り替えるかがユーザに問われることによる煩わしさをなくすことができる。
【００７８】
さらに、ＩＤコピーショートカットキー１０３が待機画面に表示されている場合には、ＩＤカードコピー機能を使用しない設定から使用する設定に切り替えるかがユーザに問われることなく、ＦＢ方式による原稿の読み取りが実行される。ＩＤコピーショートカットキー１０３が待機画面に表示されているにもかかわらず、ユーザがＦＢ方式による原稿の読み取りを指示する場合、ユーザがＩＤカードコピー機能の使用を望んでいないと考えられるので、そのＩＤカードコピー機能を使用する設定に切り替えるかがユーザに問われることによる煩わしさをなくすことができる。
【００７９】
ＩＤコピー（ＩＤコピー処理）の実行後には、ユーザがＩＤコピーの継続を所望するか否かを入力するＩＤコピー継続問合せ画面が操作パネル４６に表示される。これにより、ユーザがＩＤコピーの継続を所望する場合には、ＩＤカードコピー機能を使用する設定を再度行う必要がなく、ＩＤコピーの実行を指示する際の操作性をさらに向上させることができ、ＩＤコピーの利便性を一層高めることができる。
【００８０】
ＩＤカードコピー機能を使用しない設定に切り替えてからコピージョブを終了するため、意図しないコピージョブを実行してしまう可能性を回避できる。ユーザにより変更された設定は、コピージョブを終了した後であっても、一定時間設定を戻さないので、再度設定を行わなければならないわずらわしさを回避できる。
【００８１】
＜変形例＞
以上、本発明の一実施形態について説明したが、本発明は、他の形態で実施することもできる。
【００８２】
たとえば、前述の実施形態では、複合機１が複数ページの原稿を複数部コピーする場合に印刷物を一部ごとにまとめて排紙トレイ６に排出するソートコピーを実行可能な機種であることを前提としている。複合機１がソートコピーを実行できない機種である場合やコピー部数が１部でありソートする必要がない場合には、図５Ｂに示される処理（コピージョブ処理の一部）に代えて、図１２に示される処理が実行されてもよい。
【００８３】
図１２に示される処理では、１枚目の原稿がカードサイズであり（Ｓ１９：ＹＥＳ）、ＩＤカードコピー機能の設定がＲＯＭ４２に登録されておらず（Ｓ２２：ＮＯ）、ＡＤＦ８にエラーが発生していない場合に（Ｓ２３：ＮＯ）、ＣＰＵ４４は、操作パネル４６の表示をコピー中画面から次原稿問合せ画面に切り替え、ユーザが読み取りを所望する次の原稿の有無を判別する（Ｓ３１）。そして、次の原稿がある場合に（Ｓ３１：ＹＥＳ）、ＣＰＵ４４は、次原稿問合せ画面からＩＤコピー切替問合せ画面に切り替えて、ＩＤカードコピー機能を使用しない設定から使用する設定に切り替える指示がＡＳＩＣ４１に入力されたか否かを判別する（Ｓ２４）。
【００８４】
１枚目の原稿がカードサイズではない場合、次の原稿の有無をユーザに問い合わせることなく、ＦＢ方式による原稿の読み取りが開始される方がコピージョブの処理速度を速めることができる。
【００８５】
また、前述の実施形態では、特定機能の一例としてＩＤカードコピー機能を取り上げたがこれに限らない。たとえば、スキャンしたＩＤカードをＯＣＲ処理し、ＩＤカードに含まれる情報をカードＤＢに登録するためのＩＤカードスキャン機能を使用するスキャンジョブが開始されてもよい。また、操作パネル４６の操作により特定機能を使用するスキャンジョブの対象となる原稿の読取サイズが設定された場合には、設定された読取サイズに対応する特定機能の使用を確認する画面が操作パネル４６に表示されて、ユーザにより特定機能の使用が指示された場合に、特定機能を使用するスキャンジョブが開始されてもよい。また、特定機能の他の例として、ブック補正機能、レシートスキャン機能およびポスター合成機能などを挙げることができる。
【００８６】
ブック補正機能は、本が見開き状態でコンタクトガラス９上に置かれた場合に、コピージョブの実行により得られる印刷物において本の見開かれたページの継ぎ目および本の周囲に対応する部分が黒くなることを抑制するために読み取られた画像に対して特定の色補正処理を実行する機能である。ＡＳＩＣ４１のＣＰＵ４４は、たとえば、読取デバイス１２により読み取られた画像データの短辺の寸法が定型原稿サイズのいずれかの短辺に等しく、その定型原稿サイズの長辺よりも画像データの長辺の寸法が短い場合、コンタクトガラス９上に本が見開きで置かれたと判別することができる。
【００８７】
レシートスキャン機能は、ＦＢ面に配置した複数枚のレシートの画像をまとめて読み取り、それぞれ個別のレシートとして管理する機能である。レシートの短辺の幅は、５８ｍｍまたは８０ｍｍが一般的であるから、ＡＳＩＣ４１のＣＰＵ４４は、読取デバイス１２により読み取られた画像データが複数あり、各画像データの短辺の寸法が５８ｍｍまたは８０ｍｍである場合、コンタクトガラス９上にレシートが置かれたと判別することができる。
【００８８】
ポスター合成機能は、ＦＢ面より大きいサイズの原稿を複数回にわけて読み取り、読取結果を１つの画像として合成する機能である。ＡＳＩＣ４１のＣＰＵ４４は、たとえば、読取デバイス１２により読み取られた画像データがＦＢ面と同じサイズの場合、コンタクトガラス９上にＦＢ面より大きいサイズの原稿が置かれたと判別することができる。
【００８９】
本実施形態では、ＩＤコピーショートカットキー１０３が待機画面に表示されている場合は確認画面を表示しない。これに代えて、ＩＤコピーショートカットキー１０３が待機画面に表示されているか否かにかかわらず、確認画面を表示してもよい。
【００９０】
本実施形態では、確認画面表示後にＩＤカードコピー機能を実行した場合、図９の画面を表示し、ＩＤカードコピー機能を完了する旨の操作があった場合に、ＩＤコピー設定をリセットしている。これに代えて、Ｓ２５によるＩＤコピー処理を実行したら、ＩＤコピー設定をリセットして、コピージョブの実行を終了してもよい。また、Ｓ２５によるＩＤコピー処理を実行したら、ＩＤコピー設定をリセットせず、コピージョブの実行を終了してもよい。
【００９１】
本実施形態では、ジョブ開始画面と設定変更のための画面（ジョブ開始画面上の設定変更キー１２５が操作された後に表示される画面）とを別に設けているが、たとえば、ジョブ開始画面上で、各設定項目の設定変更ができるようにしてもよい。
【００９２】
また、前述の実施形態では、ＣＰＵ２４が各処理を実行する場合について説明した。しかしながら、ＡＳＩＣ２１が複数のＣＰＵを備え、複数のＣＰＵが協働して各処理を実行してもよい。
【００９３】
その他、前述の構成には、特許請求の範囲に記載された事項の範囲で種々の設計変更を施すことが可能である。
【符号の説明】
【００９４】
１２：読取デバイス
１３：移動機構
４４：ＣＰＵ
４５：ＡＤＦ搬送部
４７：表示部
４８：操作部
５１：画像形成部
１０３：ＩＤコピーショートカットキー
【図１】
2019102898.tif 000003
【図２】
2019102898.tif 000004
【図３】
2019102898.tif 000005
【図４】
2019102898.tif 000006
【図５Ａ】
2019102898.tif 000007
【図５Ｂ】
2019102898.tif 000008
【図６】
2019102898.tif 000009
【図７】
2019102898.tif 000010
【図８】
2019102898.tif 000011
【図９】
2019102898.tif 000012
【図１０】
2019102898.tif 000013
【図１１】
2019102898.tif 000014
【図１２】
2019102898.tif 000015